(57)【特許請求の範囲】
【請求項１】
ドアフレームアセンブリであって、
それぞれ断面長方形状を有し互いに連結されて長方形フレーム構造を形成する、複数の伸長した金属チューブと；
それぞれ断面Ｚ形状を有し、第１及び第２脚部と中央連結ボディ部分とを含んだ複数の伸長した金属ストリップと；
それぞれ圧縮部分と把持部分とを有する、複数の伸長した弾性シールと；
各Ｚ形状金属ストリップの前記中央ボディ部分を前記金属チューブに連結する手段と、
ガラスパネルとを具備し；
前記弾性シールの前記把持部分は各Ｚ形状ストリップの前記第１脚部を包囲し掴むように適合しているとともに、
各Ｚ形状金属ストリップの前記第２脚部は前記ガラスパネルを支持するように適合していることを特徴とするドアフレームアセンブリ。
【請求項２】
前記連結手段は前記Ｚ形状金属ストリップを前記金属チューブに溶接するプラグ溶接を含んでいる請求項１記載のドアフレームアセンブリ。
【請求項３】
前記連結手段は前記Ｚ形状金属ストリップを前記金属チューブに溶接するすみ肉溶接を含んでいる請求項１記載のドアフレームアセンブリ。
【請求項４】
ドアフレームアセンブリであって、
それぞれ断面長方形状を有し互いに連結されて長方形フレーム構造を形成する、複数の伸長した金属チューブと；
それぞれ断面Ｚ形状を有し、第１及び第２脚部と中央連結ボディ部分とを含んだ複数の伸長した金属ストリップと；
それぞれ圧縮部分と把持部分とを有する、複数の伸長した弾性シールと；
各Ｚ形状金属ストリップの前記中央ボディ部分を前記金属チューブに連結する手段とを具備し；
前記弾性シールの前記把持部分は各Ｚ形状ストリップの前記第１脚部を包囲し掴むように適合しているとともに、
前記Ｚ形状金属ストリップの前記中央ボディ部分が前記金属チューブに連結されて凹部を画成しており、ガラスパネルが該凹部中に取り付けられて前記第２脚部により支持されることを特徴とするドアフレームアセンブリ。
【請求項５】
前記第２脚部と前記ガラスパネルは接着剤により接着されている請求項４記載のドアフレームアセンブリ。
【請求項６】
前記各金属チューブは第１平面を有しており、前記ガラスパネルは第２平面を有しており、前記第１平面は前記第２平面と実質上同一平面上にある請求項４記載のドアフレームアセンブリ。
【請求項７】
前記把持部分はキャビティと、該キャビティ中に位置した複数の弾性指を含んでおり、前記第１脚部は前記キャビティ中に位置づけされるように適合しており、前記弾性指は前記第１脚部に接触するように適合している請求項１記載のドアフレームアセンブリ。
【請求項８】
前記各金属チューブは第１平面を有しており、前記ガラスパネルは第２平面を有しており、前記第２平面は前記第１平面から離間されている請求項４記載のドアフレームアセンブリ。
【発明の詳細な説明】
【０００１】
【発明の属する技術分野】
本発明は一般的に作業機械のドアフレームアセンブリに関し、特に、製造及び組立が簡単で経済的なドアフレームアセンブリに関する。
【０００２】
【従来の技術】
土砂移動及び建設機械のアクセスドアアセンブリは、ガラスパネル、フレーム部材、シール及び他の部品を含んだ複数の構造体から構成される。ガラスパネル及びシールは何らかの方法でフレーム部材に連結されなければならない。
【０００３】
複数の部品を連結して組み立てるためには、一般的に複数のクリップ、締結具及び保持具が必要とされる。故に、このようなドアアセンブリは高価なものとなり、製造するのに多くの時間を必要とする。
【０００４】
本発明は上述した問題の１つ或いはそれ以上を克服せんとするものである。
【０００５】
【発明の開示】
本発明のドアフレームアセンブリは、複数の長方形金属チューブと、複数のＺ形状金属ストリップと、複数の伸長した弾性シールとを含んでいる。
【０００６】
複数の金属チューブが相互に連結されて長方形フレーム構造体を形成し、各金属ストリップが金属チューブの１つに連結される。伸長した弾性シールの各々は圧縮部分と把持部分を有しており、把持部分はＺ形状金属ストリップの一部分を掴むように適合している。
【０００７】
作業機械のドアフレームアセンブリは、ドアフレームアセンブリと作業機械のフレームとの間の良好なシールを提供しなければならない。更に、ドアフレームアセンブリはガラスパネルを収容し、ガラスパネルをドアフレームアセンブリに固定する手段を提供しなければならない。
【０００８】
多くの従来のドアフレームアセンブリは、多くの異なるタイプのクリップ、締結具及び保持具により連結される複数の部品から構成され複雑である。ドアフレームアセンブリがこのように複雑なため、製造コストが高くなり、組立に時間を要することになる。
【０００９】
本発明のドアフレームアセンブリは最小の数の部品から構成され、製造及び組立が簡単である。
【００１０】
【発明の実施の形態】
図面を参照すると、作業機械（図示せず）のドアフレームアセンブリ１０は、複数の伸長した金属チューブ１２，１４，１６，１８と、複数の金属ストリップ２０，２２，２４，２６と、複数の伸長した弾性シール２８，３０，３２，３４とを含んでいる。
【００１１】
各金属チューブ１２，１４，１６，１８は断面長方形状をしており、複数の金属チューブ１２，１４，１６，１８が互いに連結されて長方形フレーム構造３６を形成する。各金属ストリップ２０，２２，２４，２６は実質上断面がＺ形状をしており、第１及び第２脚部３８，４０と連結中央ボディ部分４２とを含んでいる。
【００１２】
すみ肉溶接４６，４８のような連結手段４４が、各Ｚ形状金属ストリップ２０，２２，２４，２６の中央ボディ部分４２を金属チューブ１２，１４，１６，１８に連結する。連結手段４４はＺ形状金属ストリップ２０，２２，２４，２６と金属チューブ１２，１４，１６，１８との間のプラグ溶接を含むこともできる。
【００１３】
各弾性シール２８，３０，３２，３４は圧縮部分５０と、把持部分５２とを有している。把持部分５２は各Ｚ形状金属ストリップ２０，２２，２４，２６の第１脚部３８を包囲し掴むように適合している。
【００１４】
圧縮部分５０は作業機械のフレーム部分５４と接触するように適合しており、両者の間にシール表面を形成する。圧縮部分５０は、ドアフレームアセンブリ１０がフレーム部分５４に対して閉じられたとき、圧縮部分５０の変形を許容する第１中空キャビティ５６を含んでいる。
【００１５】
把持部分５２は第２キャビティ５８と、キャビティ５８中に位置した複数の弾性指６０を含んでいる。各Ｚ形状金属ストリップ２０，２２，２４，２６の第１脚部３８は、指６０が第１脚部３８に接触してこれを掴みながら第２キャビティ５８中に位置づけされるように適合している。
【００１６】
各Ｚ形状ストリップ２０，２２，２４，２６の中央ボディ部分４２は金属チューブ１２，１４，１６，１８の第１平面６４から所定距離６２離間してチューブ１２，１４，１６，１８の１つに連結され、凹部６６を画成する。第２平面７０を有するガラスパネル６８は凹部６６中に置かれ、Ｚ形状ストリップ２０，２２，２４，２６の第２脚部６０により支持されるように適合している。
【００１７】
ガラスパネル６８と第２脚部４０との間に接着剤７２が設けられ、ガラスパネル６８を第２脚部４０に接着する。第１平面６４と第２平面７０は実質上同一平面上にあり、これによりガラスパネル６８が保護される。第２平面７０は第１平面６４よりも低くてもよい。
【００１８】
【産業上の利用可能性】
本発明のドアフレームアセンブリ１０は作業機械の運転室のドアとして使用するのに特に適している。ドアフレームアセンブリ１０は経済的に製造することができ、高価で複雑な生産設備を必要としない。
【００１９】
フレームアセンブリ１０の主な支持部材は、Ｚ形状金属ストリップ２０，２２，２４，２６がプラグ溶接又はすみ肉溶接で連結される複数の長方形金属チューブ１２，１４，１６，１８を含んでいる。
【００２０】
弾性シール２８，３０，３２，３４が、把持部分５２を第１脚部３８上をスライドさせて弾性指６０が第１脚部３８を掴むようにして、フレーム部材１０に連結される。接着剤７２が第２脚部４０に適用され、接着剤７２がガラスパネル６８と第２脚部４０を接着するようにガラスパネル６８が凹部６６中に置かれる。
【００２１】
本発明の他の側面、目的及び利益は添付図面、発明の詳細な説明及び特許請求の範囲を研究することにより得ることができる。
【図面の簡単な説明】
【図１】本発明のドアフレームアセンブリの概略立面図である。
【図２】図１の２−２線に沿った拡大断面図である。
【符号の説明】
１０  ドアフレームアセンブリ
１２，１４，１６，１８  金属チューブ
２０，２２，２４，２６  金属ストリップ
２８，３０，３２，３４  弾性シール
【図１】
0003843153.tif 000002
【図２】
0003843153.tif 000003